(57)【要約】【課題】毛髪とブラシ毛とが絡まるのを防止できる回転式ヘアーブラシを提供する。【解決手段】柄部１に対して回転可能な回転ブラシ部５の周面にエアー吹き出し孔３の開口３ａを設ける。回転ブラシ部５を回転させながらその周面の開口３ａよりエアーを噴き出すことで、エアーで毛髪を分散させながらブラッシングすることができ、毛髪とブラシ毛とが絡まるのを防止できる。また、回転ブラシ部の周面に回転ブラシ部の回転方向に離間して複数の電極を設けたことで、ブラッシングと同時に頭皮などのパルスマッサージを行うことができ、毛髪に静電気を帯びている場合には、その静電気が電極９を通じて放出され、毛髪とブラシとの絡まりをより効果的に防止できる。さらに、マイナスイオン生成装置を設けたことで、ブラッシング時にマイナスイオンの効果を毛髪、頭皮に与えられる。【選択図】      図１
2004254897.tif 000002
【特許請求の範囲】
【請求項１】
柄部と、
この柄部に回転自在に支持され、周面にブラシ毛が植設され、かつ前記周面に開口した複数のエアー吹き出し孔と、これらのエアー吹き出し孔に通じるエアー流路とを有する回転ブラシ部と、
前記柄部に対して前記回転ブラシ部を回転駆動する駆動手段と、
前記回転ブラシ部の前記エアー流路に供給するエアーを発生するエアー発生源と
を具備することを特徴とする回転式ヘアーブラシ。
【請求項２】
回転ブラシ部の周面に当該回転ブラシ部の回転方向に離間してそれぞれ設けられた複数の電極と、
前記電極にトリートメントのためのパルス電流を供給するパルス供給手段と
をさらに具備することを特徴とする請求項１に記載の回転式ヘアーブラシ。
【請求項３】
マイナスイオンを発生させるマイナスイオン生成装置をさらに有することを特徴とする請求項１または２に記載の回転式ヘアーブラシ。
【請求項４】
前記電極が、トルマリンを含有する導電性材料からなることをと特徴とする請求項２に記載の回転式ヘアーブラシ。
【発明の詳細な説明】
【０００１】
【発明の属する技術分野】
本発明は、毛髪のブラッシングに用いられる回転式ヘアーブラシに関するものである。
【０００２】
【従来の技術】
回転式ヘアーブラシは、柄の部分に対してブラシ部がモータの動力で回転することによって、人手でブラシを回転させることなく、楽にしかも短時間で、ドライヤーとの併用によりヘアーをストレート、内巻・外巻など好みのセットに仕上げることができるブラシである。
【０００３】
この種の回転式ヘアーブラシは、概して毛髪の状態によって、毛髪とブラシの毛との絡まりを起しやすい。この絡まりを防止するために、様々な改良が加えられている。たとえば、ブラシの毛と毛の間にローラーなどの仕切り部材を設けたタイプ（たとえば特許文献１を参照）などがある。
【０００４】
【特許文献１】
米国特許６０９８６３５号
【０００５】
【発明が解決しようとする課題】
しかしながら、ブラシの毛と毛の間にローラーなどの仕切り部材を設けた回転式ヘアーブラシでは、たとえば、毛髪が静電気を帯びている状態では、ローラー表面へ毛髪が吸着してローラーに毛髪が巻き付くおそれがあり、毛髪とブラシの毛との絡まりを確実に防止できるものとは言いがたいものであった。
【０００６】
また、近年、マイナスイオンが生体の細胞の機能を活性化すると言われおり、様々な機器へのマイナスイオン生成装置の採用例が見受けられるが、回転式ヘアーブラシにマイナスイオン生成装置を採用したものはなかった。同様に、パルス電流を生体に流して筋肉を電気的に刺激するパルストリートメントを回転式ヘアーブラシに採り入れた例や、エアーブローを回転式ヘアーブラシに採り入れた例もなかった。
【０００７】
本発明はこのような課題を解決するためもので、ブラッシング時の毛髪とブラシの毛との絡まりを効果的に防止することのできる回転式ヘアーブラシを提供することを目的としている。
【０００８】
また、ブラッシングしながら毛髪や頭皮にパルストリートメント効果、マイナスイオン効果を付与することのできる回転式ヘアーブラシを実現することを目的としている。
【０００９】
【課題を解決するための手段】
上記の目的を達成するために、本発明の回転式ヘアーブラシは、柄部と、この柄部に回転自在に支持され、周面にブラシ毛が植設され、かつ前記周面に開口した複数のエアー吹き出し孔と、これらのエアー吹き出し孔に通じるエアー流路とを有する回転ブラシ部と、前記柄部に対して前記回転ブラシ部を回転駆動する駆動手段と、前記回転ブラシ部の前記エアー流路に供給するエアーを発生するエアー発生源とを具備することを特徴とする。
【００１０】
この発明によれば、回転ブラシ部が回転するとともに回転ブラシ部の周面より噴き出るエアーが毛髪を分散させるように作用し、この結果、回転ブラシ部を回転させてのプラッシングにおいて毛髪とブラシ毛とが絡まるのを防止できる。
【００１１】
また、本発明は、上記の発明の回転式ヘアーブラシにおいて、回転ブラシ部の周面に当該回転ブラシ部の回転方向に離間してそれぞれ設けられた複数の電極と、前記各電極にトリートメントのためのパルス電流を供給するパルス供給手段とをさらに具備することを特徴とする。これにより、回転ブラシ部を回転させての毛髪のブラッシングと同時に頭皮などのパルスマッサージを行うことができる。また、毛髪に静電気を帯びている場合には、その静電気を電極を通じて放出させることができ、毛髪とブラシとの絡まりを防止することができる。
【００１２】
さらに、本発明は、上記の発明の回転式ヘアーブラシにおいて、マイナスイオンを発生させるマイナスイオン生成装置をさらに有することを特徴とする。これにより、回転式ヘアーブラシの使用時にマイナスイオンの効果を毛髪、頭皮に与えることが可能になる。また、本発明では、マイナスイオン生成装置より発生したマイナスイオンが回転ブラシ部の周面の開口より噴き出たエアーに乗って毛髪や頭皮表面に効率的に運ばれることで、毛髪、頭皮表面にマイナスイオン効果を満遍なく与えることができる。
【００１３】
また、本発明は、上記の発明の回転式ヘアーブラシにおいて、電極がトルマリンを含有する導電性材料からなることを特徴とする。回転ブラシ部の周面の電極そのものをマイナスイオン発生源として使用することができるので、省電力化、小型化を実現できる。
【００１４】
【発明の実施の形態】
以下、本発明の実施の形態を図面に基づいて説明する。
【００１５】
図１は本発明を実施した一形態である回転式ヘアーブラシ１００の外観図、図２はこの回転式ヘアーブラシ１００の側面断面図、図３はこの回転式ヘアーブラシ１００の縦断面図である。
【００１６】
これらの図に示すように、この回転式ヘアーブラシ１００は、人の手によって把持される部分としての柄部１と、この柄部１の一端に回転自在に支持された回転ブラシ部５とで構成される。回転ブラシ部５の周面には、たとえばブタ毛、イノシシ毛、ナイロン製などのブラシ毛２が、回転ブラシ部５の周面方向と軸方向に規則的に並べて植設されている。また、導電性材料からなるブラシ毛２を使用してもよい。
【００１７】
回転ブラシ部５の周面には複数のエアー吹き出し孔３の開口３ａが回転ブラシ部５の周面方向と軸方向に規則的に配設されている。より具体的には、エアー吹き出し孔３の開口３ａは、回転ブラシ部５の周面方向に均等な間隔を置いて複数たとえば８個設けられ、軸方向にも均等な間隔を置いて複数たとえば９個設けられている。ただし、本発明は開口３ａの数に限定されるものではない。また、エアー吹き出し孔３の開口３ａの形状は図示されるように孔状に限らず回転ブラシ部５の軸方向に長いスリット状であってもよい。
【００１８】
さらに、回転ブラシ部５の周面には、パルストリートメント用の複数の電極９が回転ブラシ部５の周面方向においてエアー吹き出し孔３の開口３ａの領域を挟んで、かつ均等な間隔を置いて、たとえば８列に設けられ、個々の電極９は回転ブラシ部５の軸方向に沿って回転ブラシ部５の両端部の間にわたって帯状に形成されている。
【００１９】
回転ブラシ部５の周面方向において、ブラシ毛２は電極９の幅内でたとえば２箇所に植設されている。ただし、これは一例に過ぎず、電極９の幅内のブラシ毛２の植設箇所は１箇所以上であればよい。また、この実施形態では、回転ブラシ部５の周面の一箇所に数本のブラシ毛２が植設されているが、一箇所に一本のブラシ毛２が植設されたものであっても構わない。
【００２０】
次に、この回転ブラシ部５の断面構造について、図２および図３を参照して説明する。
【００２１】
回転ブラシ部５の上記周面を含む外側の回転部１０は筒状をなしている。この筒状回転部１０はその内部の空洞部１１に内嵌された軸部１２の周囲をベアリング１３を介して回転し得るようになっている。軸部１２にはモータ１４が内蔵されている。このモータ１４からは回転ブラシ部５の軸方向にドライブシャフト１５が突出している。このドライブシャフト１５の先端部には筒状回転部１０の一端の開口を塞ぐようにして固定された蓋部１６が支持されている。したがって、モータ１４が駆動されることで、筒状回転部１０と蓋部１６とが一体となって軸部１２に対して回転するようになっている。
【００２２】
また、軸部１２と柄部１には、各エアー吹き出し孔３にそれぞれ連通する複数のエアー流路１７が形成されている。各エアー流路１７は柄部１の中に配置されているエアー発生源１８たとえば電動ファン、電動ポンプにて発生されたエアーを各エアー吹き出し孔３に導くための流路である。エアー発生源１８は温風を発生し得るように電動ヒーターなどの熱源を有するものであってもよい。
【００２３】
また、軸部１２の外周と筒状回転部１０の内周にはそれぞれの電気的な接点１９，２０が設けられている。すなわち、筒状回転部１０の内周には、筒状回転部１０の外周面に配設された個々の電極９に導通した複数の接点１９が設けられている。一方、軸部１２の外周には上記接点１９に摺接する金属板バネなどのバネ構造を持った接点２０が軸部１２の外周に一定間隔で複数取り付けられている。接点１９および接点２０はそれぞれ筒状回転部１０の外周面に配設された電極９の数だけ設けられており、常に各接点１９と各接点２０とが１対１で接触しており、筒状回転部１０の回転により摺接する接点１９，２０どうしの組み合わせがシフトするようになっている。
【００２４】
一方、柄部１は中空構造を有しており、この柄部１の中空部内には、一次電池や二次電池などのバッテリや、商用交流電源より動作直流電源を生成するＡＣ／ＤＣコンバータなどの電源部２１と、ＣＰＵ、メモリ、ドライバ回路などの回路素子が実装された制御基板２２と、電動ファンや電動ポンプなどのエアー発生源１８などが内蔵されている。
【００２５】
さらに、柄部１にはマイナスイオン発生部２９が設けられている。このマイナスイオン発生部２９は、柄部１の内部に配設されているマイナスイオン生成装置３０で生成されたマイナスイオン４３を、柄部１に開けられたイオン放出口４２を通して回転ブラシ部５のブラシ毛２に向けて放出するように構成されている。なお、このマイナスイオン発生部２９およびマイナスイオン生成装置３０は、柄部１の側にではなく回転ブラシ部５の側に設けても構わない。
【００２６】
柄部１の外装面にはユーザの操作用のスイッチ・ボタン（図示せず）が設けられており、ユーザはこのスイッチ・ボタンを操作して、ブラシ回転、エアー発生（ブロー）、パルストリートメントおよびマイナスイオン生成に関する各種の指令を入力することができる。
【００２７】
ブラシ回転に関する指令には、たとえば回転のオン／オフ、回転速度、回転方向などの切り替え・設定がある。エアー発生に関する指令には、たとえばエアー発生のオン／オフ、風量、温度などの切り替え・設定がある。パルストリートメントに関する指令には、たとえばパルストリートメントのオン／オフ、親子電極、トリートメント時間、パルス周波数、パルスの強さ（レベル）などの切り替え・設定がある。そしてマイナスイオン生成に関する指令には、たとえばマイナスイオン発生のオン／オフ、イオン発生量などの切り替え・設定がある。
【００２８】
次に、この回転式ヘアーブラシ１００の機能的な構成を説明する。
【００２９】
図４は、この実施形態の回転式ヘアーブラシ１００の機能的な構成を示すブロック図である。
【００３０】
同図において、操作入力部３１は、上記のスイッチ・ボタンの操作信号を制御基板２２上の制御部３２に通知する機能である。制御部３２はＣＰＵやメモリなどで構成され、操作入力部３１から通知された操作信号に基づいて、メモリに格納されたプログラムに従って、回転駆動部４１、ＥＭＳパルス供給回路３３、マイナスイオン生成装置３４およびエアー発生装置３５などの制御をそれぞれのインタフェース部３７，３８，３９，４０を通じて行う。
【００３１】
回転駆動部４１は、モータ１４と、このモータ１４にドライブ電流を供給するドライブ回路などで構成される部分である。
【００３２】
ＥＭＳパルス供給回路３３はたとえば制御基板２２に実装されている。このＥＭＳパルス供給回路３３は、制御部３２からの制御信号に基づき、回転ブラシ部５の周面に配設された複数の電極９を親電極と子電極とに分け、これら親子電極にトリートメント用のパルス電流を供給する回路である。親電極と子電極との分け方として、各電極９を、回転ブラシ部５の回転方向において交互に親電極と子電極に分ける方法、親電極と子電極とに大きく二分する方法、一つの電極９を親電極として利用し他の一つの電極９を子電極として利用する方法、一つの電極９を親電極として利用し他の一つ以上の電極９を子電極として利用する方法などがある。さらには、柄部１を親電極とし、回転ブラシ部５の周面に配設されたすべての電極９を子電極としてもよい。パルス電流の具体的なパラメータの例を挙げると、周波数はたとえば５Ｈｚ乃至５０Ｈｚの範囲であり、この範囲内で可変とされている。また、出力レベルはたとえば３０Ｖ乃至６０Ｖの範囲であり、この範囲内で可変とされている。なお、ＥＭＳとは電気的筋肉刺激（Ｅｌｅｃｔｒｉｃａｌ  Ｍｕｓｃｌｅ  Ｓｔｉｍｕｌａｔｉｏｎ）を意味する。
【００３３】
この実施形態では、このＥＭＳのための電極９を回転ブラシ部５の周面に設けたことで、毛髪のブラッシングと同時に頭皮などのパルスマッサージを行うことができる。また、毛髪に静電気を帯びている場合には、その静電気を電極９を通じて放出させることができ、毛髪とブラシとの絡まり防止を期待できる。また、導電性材料からなるブラシ毛２を採用すれば、毛髪・頭皮との電気導通性を高めることができる。
【００３４】
マイナスイオン生成装置３４は、たとえばコロナ放電式、電子放射式、自然石トルマリンを採用してマイナスイオンの生成を行う装置である。コロナ放電式は、イオン化針と集塵板の各々に高電圧をかけることで、この間にコロナ放電を生じさせ、この放電により大量の電子を放出させて空気中に拡散し、周辺の空気の分子をマイナスイオン化する方式である。電子放射式は、針状に尖らせたマイナス電極に、パルス性の高電圧を印加して、空気中に直接電子を放出させる方式である。自然石トルマリンは、それ自体が微弱な電気を持つ鉱石である。結晶が自然にプラス電子とマイナス電子が整然と並んでおり、両電極を持つため微弱電流が発生し、マイナスイオンを発生する鉱石として知られるものである。
【００３５】
また、この自然石トルマリンを含有した導電性材料を回転ブラシ部５の周面の各電極９の材料に用いることで、回転ブラシ部５の周面の電極９そのものをマイナスイオン発生源として使用することができる。この場合、柄部１に配置したマイナスイオン生成装置３４は不要である。このため省電力化、小型化を実現できる。
【００３６】
次に、この実施形態の回転式ヘアーブラシ１００の動作を説明する。
【００３７】
ユーザは、まず、回転式ヘアーブラシの主電源をオンにして制御基板２２に通電を行い、制御基板２２を立ち上げる。ここでユーザは柄部１の外装面に用意されている図示しないスイッチ・ボタンを操作し、ブラシ回転とエアー発生を共にオンにするように指令を入力すると、制御部３２がこの指令を解釈して、回転駆動部４１およびエアー発生装置３５をそれぞれオンにする。また、その際、ユーザはスイッチ・ボタンを操作して、エアーの風量、温度などの設定や、回転ブラシ部５の回転速度や回転方向などの切り替えを行うことができる。これにより、回転ブラシ部５が回転するとともに回転ブラシ部５の周面の開口３ａよりエアーが噴き出る。このエアーが毛髪を分散させるように働くことによって、回転ブラシ部５を回転させてのプラッシングにおいて毛髪とブラシ毛２とが絡まるのを防止できる。
【００３８】
また、ブラシ回転とエアー発生を共にオンにするとともに、パルストリートメントをオンにする指令がユーザにより与えられると、ＥＭＳパルス供給回路３３がオンになり、回転ブラシ部５の周面に配設された複数の電極９にトリートメント用のパルス電流が供給される。また、その際、ユーザはスイッチ・ボタンを操作して、親子電極の選択や、トリートメント時間、パルス周波数、パルスの強さなどの設定を行うことができる。この動作モードにおいては、毛髪のブラッシングと同時に頭皮などのパルスマッサージを行うことができ、血行の促進、抜け毛防止などの効果を期待できる。また、毛髪に静電気を帯びている場合には、その静電気を電極を通じて放出させることができ、毛髪とブラシとの絡まりを防止することができる。なお、このパルストリートメントとブラシ回転とを同時に行うモード（エアー発生はオフ）を設けてもよい。
【００３９】
さらに、ブラシ回転とエアー発生（ブロー）を共にオンにするとともに、マイナスイオン生成をオンにする指令がユーザにより与えられると、マイナスイオン生成装置３４がオンになり、マイナスイオンが発生する。このマイナスイオン生成装置３４より発生したマイナスイオンは、回転ブラシ部５の周面の開口３ａより噴き出たエアーに乗って毛髪や頭皮表面に運ばれることで、毛髪、頭皮表面にマイナスイオン効果を満遍なく与えることができる。
【００４０】
マイナスイオンが毛髪や頭皮表面に与える効果としては、たとえばプラスに帯電した臭いの粒子、ほこり、花粉、バクテリアなどを毛髪や頭皮表面から取り除く清浄効果、毛髪や頭皮の細胞の活性化による効果（毛髪のツヤ出し、枝毛防止など）などがある。また、プラスの静電気を帯びた毛髪をマイナスイオンにより電気的に中和させることで、毛髪とブラシとの絡まりを防止できる。なお、このマイナスイオン生成とブラシ回転とを同時に行うモード（エアー発生はオフ）を設けてもよい。
【００４１】
なお、ＥＭＳパルス供給回路３３は、回転ブラシ部５の筒状回転部１０に配置させてもよい。これにより柄部１と回転ブラシ部５との電気的な接続構造を簡易化できるとともに、回転ブラシ部５における軸部１２と筒状回転部１０との電気的な接続が不要になり、小型化を図ることができる。
【００４２】
本発明は、上述の実施形態にのみ限定されるものではなく、本発明の要旨を逸脱しない範囲内において種々変更を加え得ることは勿論である。
【００４３】
【発明の効果】
以上、説明したように本発明によれば、回転ブラシ部が回転するとともに回転ブラシ部の周面より噴き出るエアーが毛髪を分散させるように作用し、この結果、回転ブラシ部を回転させてのプラッシングにおいて毛髪とブラシ毛とが絡まるのを防止できる。
【図面の簡単な説明】
【図１】本発明を実施した一形態である回転式ヘアーブラシ１００の外観図。
【図２】図１の回転式ヘアーブラシ１００の側面断面図。
【図３】図１の回転式ヘアーブラシ１００の縦断面図。
【図４】図１の回転式ヘアーブラシ１００の機能的な構成を示すブロック図。
【符号の説明】
１‥‥柄部
２‥‥ブラシ毛
３‥‥エアー吹き出し孔
３ａ‥‥開口
５‥‥回転ブラシ部
９‥‥電極
１０‥‥筒状回転部
１２‥‥軸部
１４‥‥モータ
１７‥‥エアー流路
１８‥‥エアー発生源
２１‥‥電源部
２２‥‥制御基板
３０‥‥マイナスイオン発生部
３１‥‥操作入力部
３２‥‥制御部
３３‥‥ＥＭＳパルス供給回路
３４‥‥マイナスイオン生成装置
３５‥‥エアー発生装置
１００‥‥回転式ヘアーブラシ
【図１】
2004254897.tif 000003
【図２】
2004254897.tif 000004
【図３】
2004254897.tif 000005
【図４】
2004254897.tif 000006